(57)【要約】【課題】  アリス方式により駆動されるＰＤＰにおいて、ラインフリッカを低減できるプラズマディスプレイパネルを提供する。【解決手段】  上記課題を解決するために、アリス方式のプラズマディスプレイパネルであって、  前面板と背面板とから成るプラズマディスプレイパネルであって、該前面板はパネル駆動に用いられる第１及び第２の電極を備え、該前面板と略平行に該第１の電極と該第２の電極とが配置されており、該第１の電極と該第２の電極の配線構造が該前面板と略平行な面に対して凹凸形状が繰り返されるように構成すればよい。【選択図】  図１
2006228489.tif 000002
【特許請求の範囲】
【請求項１】
前面板と背面板とから成るプラズマディスプレイパネルであって、
該前面板はパネル駆動に用いられる第１及び第２の電極を備え、
該前面板と略平行に該第１の電極と該第２の電極とが配置されており、該第１の電極と該第２の電極の配線構造が該前面板と略平行な面に対して多角形状もしくは半径状が繰り返されるように構成されたことを特徴とするプラズマディスプレイパネル。
【請求項２】
請求項１記載のプラズマディスプレイパネルにおいて、
前記背面板は隔壁及びアドレス走査のための第３の電極を備え、
前記第１の電極、前記第２の電極、該第３の電極及び該隔壁によって形成される放電セルが画面水平方向に略平行に並んでおり、その放電セルに対して千鳥状に駆動して表示するように構成することを特徴とするプラズマディスプレイパネル。
【請求項３】
前面板と背面板とから形成されるALIS方式のプラズマディスプレイパネルであって、
該前面板はパネル駆動用のＸ電極及びＹ電極を有し、
該Ｘ電極と該Ｙ電極との電極構造が該前面板側から見て櫛の歯形状であることを特徴とするプラズマディスプレイパネル。
【請求項４】
請求項３記載のプラズマディスプレイパネルにおいて、
隔壁及びアドレス電極を備え、
前記第Ｘ電極、前記Ｙ電極、アドレス電極及び隔壁によって形成される放電セルが画面水平方向に略平行に並んでおり、その放電セルに対して千鳥状に駆動して表示するように構成することを特徴とするプラズマディスプレイパネル。
【請求項５】
駆動電圧の印加に際して対となるＸ電極とＹ電極とが行方向に延伸して交互に配列された前面板と、該Ｘ電極および該Ｙ電極の延伸方向に略直交するようにアドレス電極が複数配列された背面板と、該前面板と該背面板とが隔壁を介して対向して配置されており、単位画素に対応する放電セルがマトリクス状に形成されたプラズマディスプレイパネルであって、
該Ｘ電極および該Ｙ電極の電極構造が単位放電セル毎に凹凸を繰り返す櫛の歯形状であることを特徴とするプラズマディスプレイパネル。
【請求項６】
請求項５に記載のプラズマディスプレイパネルにおいて、
隣接する前記Ｘ電極と前記Ｙ電極との間で形成される放電セルが行方向に略平行に略一列に並んだ放電セルの２行の範囲において、単位画素に対応する単位放電セル毎に互い違いとなる千鳥状に形成されていることを特長とするプラズマディスプレイパネル。
【請求項７】
請求項５または６のいずれかに記載のプラズマディスプレイパネルにおいて、
前記表示行の総数がＮ本である場合、前記Ｘ電極と前記Ｙ電極の総数が（Ｎ＋２）本であることを特徴とするプラズマディスプレイパネル。
【請求項８】
請求項５乃至７のいずれかに記載のプラズマディスプレイパネルにおいて、
前記隔壁は、前記セルを区画するためのアドレス方向に延伸しており、前記Ｘ電極と前記Ｙ電極とは透明電極と低抵抗のバス電極である金属電極とからなり、前記Ｘ電極と前記Ｙ電極のアドレス方向の少なくとも前記金属電極は隔壁からはみ出さないように配設されていることを特長とするプラズマディスプレイパネル。
【発明の詳細な説明】
【技術分野】
【０００１】
本発明は、プラズマディスプレイパネルに係わり、特に複数の第１及び第２の電極を隣接して配置し、全ての電極間で表示行（ライン）を形成するAlternate  Lighting  of  surfaces方式（以下、「ALIS方式」又は「アリス方式」と省略）のプラズマディスプレイパネルに関する。
【背景技術】
【０００２】
一般的な面放電構造のＡＣ型プラズマディスプレイパネル（以下、「ＰＤＰ」と省略する）では、対を成す表示電極（ＸおよびＹ電極）が複数配設され、該表示電極対間で表示を行うための発光がなされ、画素に対応する放電セルの配列行（ライン）である表示行（ライン）が行方向に平行に形成されている。この場合、表示行数がＮであるＰＤＰでは、表示電極対数がＮすなわち表示電極数（Ｘ電極とＹ電極の総数）は２Ｎとなり、表示行間隔が狭くなり、垂直方向の高精細化が難しい。
【０００３】
そこで、表示電極数を低減するために、全ての表示電極間で表示のための発光を行うアリス方式が例えば特許文献１，特許文献２等で開示されている。アリス方式では全ての表示電極間で表示を行うので、表示電極数はＮ＋１となり、高精細化が容易となる。
【０００４】
【特許文献１】特開平５−２９９３号公報
【特許文献２】特許第２８０１８９３号
【発明の開示】
【発明が解決しようとする課題】
【０００５】
アリス方式では、全ての表示電極間で表示を行うために、例えば特許文献２の図６に示されるように、１フレームを奇数フィールドと偶数フィールドに分割し、奇数フィールドでは奇数番目の表示行（ライン）で表示を行い、偶数フィールドでは偶数番目の表示行（ライン）で表示を行う、いわゆるインターレース走査を行う。
【０００６】
従って、各表示行は奇数フィールドまたは偶数フィールドのいずれかで表示されることになるので、例えばＮＴＳＣ（フィールド周波数６０Ｈｚ）では３０Ｈｚで表示されることになり、フィールド周波数が低いため残像効果が得られず明滅して見える現象、いわゆる、ラインフリッカが問題となる。通常、映像表示であれば、３０Ｈｚのフリッカは大きな問題にはならないが、文字などを表示する場合には問題になる場合がある。特にＰＡＬではフィールド周波数が５０Ｈｚのため顕著となる。
【０００７】
本発明は、上記した事情に鑑みてなされたもので、その目的は、アリス方式のＰＤＰにおいて、ラインフリッカを低減できるプラズマディスプレイパネルを提供することにある。
【課題を解決するための手段】
【０００８】
上記課題を解決するために、例えば、アリス方式のプラズマディスプレイパネルであって、パネル駆動に用いられる第１及び第２の電極を備え、該第１の電極と該第２の電極の配線構造が光の出射側から見て凹凸形状が繰り返されるように構成すればよい。  より具体的に言えば、単位画素に対応する単位放電セル毎に、Ｘ電極およびＹ電極を櫛の歯形状とし、隣接する電極間で形成する放電セルを２表示行の範囲で互い違いとなる千鳥状に配置する。
【０００９】
そして、アリス方式の駆動方法に従って、例えば、一つのフィールドでは全てのＹ電極とこれらの下側隣接Ｘ電極との間で形成される千鳥状の放電セルを駆動し、次のフィールドでは、全てのＹ電極とこれらの上側隣接Ｘ電極との間で形成される千鳥状の放電セルを駆動すれば、各フィールドで全表示行の半数の放電セルが駆動されることとなり、ラインフリッカを低減することが可能となる。
【発明の効果】
【００１０】
本発明によれば、ラインフリッカを低減できるアリス方式のプラズマディスプレイパネルを提供できる。
【発明を実施するための最良の形態】
【００１１】
以下、本発明の実施例を図面を用いて詳細に説明する。なお、アリス方式のＰＤＰについては、例えば特許文献２で詳細に述べられているのでその詳細は省略する。また、説明を容易とするために、便宜上、以下ではＰＤＰは単一色（例えば白黒）とし、一つの絵素は一つの放電セル（以下、「セル」と省略）で構成されているものとする。勿論、カラ−の場合には、一つの絵素は例えばＲ，Ｇ，Ｂの３つの画素からなり、これら１組のＲ，Ｇ，Ｂの３つの画素（以下、「単位画素」と称する）は１組のＲ，Ｇ，Ｂ光を発光する３つのセル（以下、「単位セル」と称する）で構成されるので、以下の記述は、画素（セル）を単位画素（単位セル）とすればカラーの場合にも適用できる。詳細は後述する。また、全図で共通な機能を有する要素には同一な符号を付して示し、一度説明したものについては、それ以降の詳細な説明を省略する。また、本明細書においては、行方向にセルが一列に並ぶように配列された配列行を従来通りの呼称である「表示行」とし、疑義がない限り単に「行」と省略して示すことにする。
【００１２】
まず、図５と図６を用いて本実施例によるＰＤＰの駆動原理を説明する。図５は、ＰＤＰのセル配置図、図６は本実施例によるＰＤＰの駆動原理を説明する図である。以下では、説明を簡単にするため、図５で示された、８行(Ｒ１〜Ｒ８)，６列（ａ１〜ａ６）のセル（画素）で構成されたＰＤＰを駆動する場合を考える。ここで、表示行（以下、便宜上「行」と省略する）Ｒｉと列ａｋの交点のセル（画素）を符号Ｃｉｋで表記するものとすると、例えば行Ｒ２と列６の交点のセルはＣ２６で示される。
【００１３】
図５で示されるＰＤＰを従来のアリス方式で駆動する場合、図６（ｂ）で示されるように、奇数フィールドで奇数番目の行Ｒ１，Ｒ３，Ｒ５，Ｒ７を駆動し、偶数フィールドで偶数番目の行Ｒ２，Ｒ４，Ｒ６，Ｒ８を駆動する。従って、課題の項で述べたラインフリッカが問題となる。
【００１４】
図６（ａ）は本実施例による駆動原理の一例を示すものである。図６（ａ）において、奇数フィールドでは、列方向に隣接するＲ２−Ｒ３，Ｒ４−Ｒ５，Ｒ６−Ｒ７，Ｒ７−Ｒ８の２行毎に、囲み枠１０１のごとく、２行のセルを行方向で一セルおきに互い違いになるような形態（千鳥状）に駆動して表示する。
【００１５】
具体的には、例えばＲ２−Ｒ３行では、セルＣ２１，Ｃ３２，Ｃ２３，Ｃ３４，Ｃ２５，Ｃ３６を駆動して表示する。そして、偶数フィールドでは、列方向に隣接するＲ１−Ｒ２，Ｒ３−Ｒ４，Ｒ５−Ｒ６，Ｒ７−Ｒ８の２行毎に、囲み枠１０２のごとく、千鳥状に駆動して表示する。具体的には、例えばＲ１−Ｒ２行では、セルＣ１１，Ｃ２２，Ｃ１３，Ｃ２４，Ｃ１５，Ｃ２６を駆動して表示する。なお、奇数フィードのＲ１とＲ８行では、偶数フィールドのＲ１とＲ８と１８０°異なる位相で、つまり偶数フィールドで駆動されなかったセルを駆動する。このことはＲ１，Ｒ８以外の他の行についてもいえる。
【００１６】
より詳細に述べれば、任意の一つの行例えば行Ｒ２に着目すれば、奇数フィールドでは、Ｃ２１，Ｃ２３，Ｃ２５のセルが駆動され、偶数フィールドでは１８０°位相が異なるＣ２２，Ｃ２４，Ｃ２６のセルが駆動されている。つまり、全ての行において、行方向で一つおきに半数のセルがフィールド毎に１８０°の位相で交互に駆動されることになる。すなわち、全ての行で、フィールド毎に位相を反転させながら、行方向に１セルおきにセルの半分を駆動して表示できる。
【００１７】
このように駆動すれば、全ての行でフィールド毎にセルの半数を駆動して表示できるので、従来駆動の図６（ｂ）に比べて、ラインフリッカを大幅に低減することが可能となる。
【００１８】
以下、上記駆動原理を適用できる電極構造を備えたＰＤＰについて、図１乃至図４を用いて詳細に説明する。
【００１９】
図１は、一実施例であるＰＤＰの要部構成図、図２は一実施例であるＰＤＰの電極構造の平面拡大詳細図、図３は一実施例のＰＤＰを用いたプラズマディスプレイ装置の要部構成図、図４は第１の実施例であるＰＤＰの駆動方法を示す図である。
【００２０】
図１において、１０は図６（ａ）で示した本発明による駆動原理に基づく電極構造を備えたアリス方式のＰＤＰである。図１は、表示側の前面板（図示せず）の内面に設けられた表示電極（Ｘ電極およびＹ電極）と、背面板（図示せず）の前面板側に設けられた表示電極の延伸方向に直交する方向のアドレス電極Ａのみが抜き出され、前面板（図示せず）側から見た上面図であり、前面板の基板であるガラス板，そのガラス板の内面の表示電極上に設けられた誘電体，その誘電体の保護膜であるＭｇＯや背面板の基板であるガラス板，そのガラス板の前面板側に塗布された蛍光体，また隔壁などは便宜上図示が省略されている。また、上記図１は、前述の光の出射方向から見た図であるとも言える。
【００２１】
ＰＤＰ１０は、図１から明らかなように、各表示電極（Ｘ電極，Ｙ電極）は行方向に延伸しており、その構造が行方向で単位画素（ここでは単一色ＰＤＰなので１セル）毎に凹凸を繰り返す櫛の歯形状の構造である。そして、このような櫛の歯形状構造の表示電極であるＸ電極とＹ電極がアドレス方向（列方向）に交互に平行に配設されている。アリス方式のＰＤＰでは、アドレス方向に隣接するＸ電極とＹ電極あるいはＹ電極とＸ電極の間に画素（セル）つまり表示領域が形成されるので、表示領域は千鳥状となる。以降、この表示領域を従来の行方向にセルが一列に並ぶように配列された配列行である「表示行」と区別するために「駆動行」と称する。また、符号Ｒと数字とを組み合わせて表記するものとする（但し、行の総称を指す場合は「行Ｒ」と記す）。ここでは、８行６列に配列されたセルで構成された画像形成領域を有するＰＤＰを考慮しているので、画像形成領域は、行Ｒ１から行Ｒ８の範囲となる。
【００２２】
前記駆動行について、本実施例で具体的に述べれば、Ｘ電極Ｘ１とＹ電極Ｙ１，Ｙ電極Ｙ１とＸ電極Ｘ２，Ｘ電極Ｘ２とＹ電極Ｙ２，Ｙ電極Ｙ２とＸ電極Ｘ３，Ｘ電極Ｘ３とＹ電極Ｙ３，Ｙ電極Ｙ３とＸ電極Ｘ４，Ｘ電極Ｘ４とＹ電極Ｙ４，Ｙ電極Ｙ４とＸ電極Ｘ５，Ｘ電極Ｘ５とＹ電極Ｙ５で形成される９駆動行となる。
【００２３】
なお、特許文献１，２記載の従来のアリス方式ＰＤＰの「行」数に比べて「駆動行」数が１つ多いことに注意して欲しい。このため、表示電極（Ｘ電極，Ｙ電極）の総数は従来の９（行数８（Ｎ）＋１）本から１０（行数８（Ｎ）＋２）本と１本多くなっている。すなわち、本発明では、行数がＮであれば、表示電極の総数は（Ｎ＋２）となり、Ｎ行（Ｒ１〜ＲＮ）で構成された画像が形成される画像形成領域のアドレス方向の両外側に表示電極がそれぞれ１本配置される電極構成（例えば本実施例ではＸ電極Ｘ１とＹ電極Ｙ５）となる。
【００２４】
アリス方式では、インターレース駆動を行うため、本実施例では、Ｘ電極の内奇数番目のＸ１，Ｘ３，Ｘ５はＰＤＰ内部または外部で接続され、また偶数番目のＸ２，Ｘ４も接続されている。
【００２５】
各駆動行、例えば、Ｙ電極Ｙ１−Ｘ電極Ｘ２間に形成される駆動行（以下、符号「Ｌ」に電極符号を添えて「ＬＹ１−Ｘ２」と記す）は、表示電極（Ｘ電極，Ｙ電極）が行方向で櫛の歯形状構造なので、行ＲｉとアドレスＡｋの交点の画素に対応するセルを符号「Ｃｉｋ」で表記するものとすると、駆動行（ＬＹ１−Ｘ２）の駆動セルはＣ１１，Ｃ２２、Ｃ１３，Ｃ２４，Ｃ１５，Ｃ２６となり、点線枠のセル１２で示されるように、２行（行Ｒ１と行Ｒ２）に渡る千鳥状となる。そこで、例えば行Ｒ１のセルを駆動するためには、Ｘ電極Ｘ１とＹ電極Ｙ１でセルＣ１２，Ｃ１４，Ｃ１６を駆動し、Ｙ電極Ｙ１とＸ電極Ｘ２でセルＣ１１，Ｃ１３，Ｃ１５を駆動すれば行Ｒ１を表示することができる。つまり、セルＣ１２，Ｃ１４，Ｃ１６を駆動するタイミングとセルＣ１１，Ｃ１３，Ｃ１５を駆動するタイミングを別にして、異なるフィールドで例えば奇数フィールドと偶数フィールドで交互に行えばよいことになる。これらの駆動方法については、図４で後述する。
【００２６】
また、上記したように、駆動行が２行に渡る千鳥状となるので、例えばＹ電極Ｙ１とＸ電極Ｘ２で形成される駆動行（ＬＹ１−Ｘ２）に着目すると、行Ｒ１はＹ電極Ｙ１に交差し、行Ｒ２はＸ電極Ｘ２に交差している。なお、Ｘ電極Ｘ１に交差する行をＲＥＸ、Ｙ電極Ｙ５に交差する行をＲＥＹと記すものとする。これらの行は画像形成領域外にあり、画像形成に寄与しない行である。
【００２７】
図２は、図１に示すＰＤＰ電極構造の一部の平面拡大詳細図である。本実施例は、上記したように、前面板の内面側に配設された表示電極の電極構造に特長があり、その他については、従来のアリス方式のＰＤＰに同じであり、表示電極が設けられている前面板のガラス板や表示電極の延伸方向（行方向）に直交するように配列されているアドレス電極，蛍光体等を省略し、表示電極と隔壁の要部構成のみを図示している。
【００２８】
図２において、各表示電極（Ｘ電極，Ｙ電極）は、１セル分ずれて対向する行方向に平行な２種類の行方向電極部１３ａ，１３ｂと、行方向電極部１３ａと１３ｂとを結ぶ列方向電極部１３ｃとからなり、列方向電極部１３ｃ−行方向電極部１３ａ−列方向電極部１３ｃ−行方向電極部１３ｂで描かれる１セル毎の凸凹形状が、行方向で繰り返される櫛の歯形状の構造をしている。すなわち、各表示電極において、その電極構造形状がアドレスＡ１で電極の添え字番号の小さい側方向（以下、「上側」と表記）に凸、隣接するアドレスＡ２で電極の添え字番号の大きい側方向（以下、「下側」と表記）に凹、そして以下順次この凸凹を交互に繰り返している。従って、例えば隣接するＸ電極Ｘ２とＹ電極Ｙ２の表示電極間のセルで形成される駆動行（ＬＸ２−Ｙ２）は、行ＲでいえばＲ２とＲ３の２行に渡り、千鳥状となる。
【００２９】
また、例えば行Ｒ３上のセルに着目すれば、アドレスＡ１から順に、Ｙ電極Ｙ２とＸ電極Ｘ３で構成されるセルと、Ｘ電極Ｘ２とＹ電極Ｙ２で構成されるセルが交互に配設されている。つまり、行Ｒ３上では、行Ｒ３に交差する表示電極であるＹ電極Ｙ２は、単位セル（ここでは単一色ＰＤＰなので１セル）毎に交互に、隣接する２つのＸ電極Ｘ２とＸ３のいずれか一方と電極対を形成している。また、Ｒ２上では、行Ｒ２に交差する表示電極であるＸ電極Ｘ２は、単位セル（ここでは単一色ＰＤＰなので１セル）毎に交互に、隣接する２つのＹ電極Ｙ１とＹ２の一方と電極対を形成している。一般的にいえば、任意のＲ行上で、任意行Ｒに交差する表示電極（Ｘ電極またはＹ電極）は、単位セル毎に交互に、隣接する２つの表示電極の一方と電極対を形成していると言える。
【００３０】
各表示電極例えばＹ電極Ｙ２は、アドレスＡ１では、上側隣接のＸ電極Ｘ２との間で放電を形成するために、透明な突起電極１１ａを有し、また、下側隣接のＸ電極Ｘ３との間で放電を形成するために、透明な突起電極１１ｂを有する。また、アドレスＡ２では、上側隣接のＸ電極Ｘ２との間で放電を形成するために、透明な突起電極１１ｃを有し、また、下側隣接のＸ電極Ｘ３との間で放電を形成するために、透明な突起電極１１ｄを有する。突起電極１１ｂと突起電極１１ｃはそれぞれ行Ｒ３上にセルが配列されるように所定の長さとされており、突起電極１１ａは行Ｒ２上にセルが配列されるようにその長さが別の所定の長さとされており、また突起電極１１ｄは行Ｒ４上にセルが配列されるようにその長さが別の所定の長さとされている。以降は、行方向に、アドレス１とアドレス２突起電極の構成が繰り返される。このように、各表示電極の透明な突起電極の長さを適切に設定することにより、同一行上にセルを並べることができる。
【００３１】
なお、図２において、各表示電極Ｘ，Ｙは透明電極（図示せず）とバス電極の金属電極（図示せず）からなるが、その列方向電極部１３ｃでは、図示しない蛍光体からの光を遮らないように、少なくとも金属電極は隔壁１５の幅内で配設されている。また、画像形成領域外にある行ＲＥＸ，ＲＥＹ上のセルは画像形成に寄与しないので、突起電極を設けないようにするのが好ましい。
【００３２】
上記した本実施例のＰＤＰを用いたプラズマディスプレイ装置は、図３のように、ＰＤＰ１０と、ＰＤＰ１０のＹ電極を駆動するＹ電極駆動回路（走査電極駆動回路ともいう）３０と、Ｘ電極を駆動するＸ電極駆動回路（維持電極駆動回路ともいう）４０と、アドレス電極を駆動するアドレス電極駆動回路２０と、これらの駆動回路を制御する制御回路５０を少なくとも備える。
【００３３】
制御回路５０は、外部から供給される表示データ（図示せず）をＰＤＰ１０用のデータに変換して、アドレス駆動回路２０に供給し、また、図示しない外部から供給されるクロックＣＬＫ、垂直同期信号ＶＳＹＮＣ及び水平同期信号ＨＳＹＮＣに基づき、各種制御信号を生成して、各駆動回路２０，３０，４０に供給する。
【００３４】
アドレス駆動回路２０は、アドレス期間に、制御回路５０から供給された１駆動行分のデータをＹ電極駆動回路３０からの走査パルスに合わせてアドレス電極Ａに出力する。
【００３５】
アドレス期間では、Ｙ電極駆動回路３０でＹ電極を所定の順次で走査（例えば負走査パルスを印加）し、これに同期させてアドレス電極駆動回路２０からアドレス電極Ａにアドレスパルスを印加するとともに、アドレス対象のセルに壁電荷（図示せず）を形成するために、走査Ｙ電極Ｙｉに隣接する２つのＸ電極（ＸｉあるいはＸｉ＋１）の内の所定の一方にＸ電極駆動回路４０はパルス（例えば正パルス）を印加する。なお、この時、アドレス期間を短縮するために、選択されたＸ電極が奇数番目の場合、Ｘ電極駆動回路４０は接続された奇数番目のＸ電極群にパルスを出力し、偶数番目の場合には接続された偶数番目のＸ電極群にパルスを出力する。このようにすれば、点灯させるセルのアドレス電極とＹ電極との間で放電が起こり、これを種火（プライミング）として、指定されたＸ電極とＹ電極との放電に移行し、維持放電が可能な壁電荷が形成され、指定セルへの書込みができることになる。
【００３６】
維持放電期間（サスティン期間）では、Ｙ電極駆動回路３０とＸ電極駆動回路４０から、Ｘ電極とＹ電極間に維持放電パルス（サスティンパルス）を印加する。なお、アリス方式のプラズマディスプレイ装置のアドレス駆動や維持放電駆動の動作については特許文献２に開示されているので、ここではこれ以上の詳しい説明を省略する。
【００３７】
ＰＤＰ１０のアドレス期間での駆動行の一走査実施例について、図４を用いて説明する。図４では、図示を容易とするために、ＰＤＰのうちアドレスＡ１とＡ２に対応した要部のみを図示している。アリス方式では、インターレース駆動のため、奇数フィールドと偶数フィールドではアドレス期間での駆動方法が異なる。奇数フィールド期間では、図４（ａ）に示すように、先ず、アドレス電極駆動回路２０からアドレス電極Ａに書込みパルスを印加するとともに、Ｙ電極駆動回路３０からＹ電極Ｙ１に例えば負走査パルス、Ｘ電極駆動回路４０からＸ電極Ｘ１に例えば正パルスを印加して、Ｘ電極Ｘ１−Ｙ電極Ｙ１間に形成される駆動行（ＬＸ１−Ｙ１）の書込みを行う。次に、Ｘ電極Ｘ３−Ｙ電極Ｙ３間に形成される駆動行（ＬＸ３−Ｙ３）の書込みを行い、その後、Ｘ電極Ｘ５−Ｙ電極Ｙ５間に形成される駆動行（ＬＸ５−Ｙ５）の書込みを行う。この間奇数番目Ｘ電極はＸ電極駆動回路４０により正電圧に保持されている。次に、偶数番目Ｘ電極（Ｘ２，Ｘ４）に正電圧を印加して、Ｘ電極Ｘ２−Ｙ電極Ｙ２間に形成される駆動行（ＬＸ２−Ｙ２）の書込み、Ｘ電極Ｘ４−Ｙ電極Ｙ４間に形成される駆動行（ＬＸ４−Ｙ４）の書込みを順に行う。このようにして、奇数フィールドの走査が終了する。この後、書込まれたセルの間で維持放電が成され、図６（ａ）に示された奇数フィールドのセル駆動が実現される。
【００３８】
但し、Ｘ電極Ｘ１−Ｙ電極Ｙ１間に形成される駆動行（ＬＸ１−Ｙ１）の内の奇数番目のアドレス電極Ａ１，Ａ３，Ａ５に対応するセルと、Ｘ電極Ｘ５−Ｙ電極Ｙ５間に形成される駆動行（ＬＸ５−Ｙ５）の内の偶数番目のアドレス電極Ａ２，Ａ４，Ａ６に対応するセルは、画像形成領域がＲ１からＲ８の範囲なので、本実施例では点灯不要となる。従って、制御回路５０からアドレス電極駆動回路２０に駆動行（ＬＸ１−Ｙ１），（ＬＸ５−Ｙ５）のデータを出力する際、未書込みデータを出力するようにするか、あるいは、点灯不要該当セル部分のＸ１，Ｙ１およびＸ５，Ｙ５の突起電極を設けないようして、つまり、画像形成領域外にある行ＲＥＸ，ＲＥＹ上のセルに突起電極を設けないようにして、不点灯とするのはいうまでもない。
【００３９】
以上のように、奇数フィールドでは、全てのＹ電極とこれらの上側隣接Ｘ電極との間で形成される千鳥状の駆動行、具体的には、全ての駆動行のうち、一番上側の駆動行（ＬＸ１−Ｙ１）と、一つおきの駆動行である（ＬＸ２−Ｙ２），（ＬＸ３−Ｙ３），（ＬＸ４−Ｙ４），（ＬＸ５−Ｙ５）を選択して駆動する。
【００４０】
偶数フィールドでは、図４（ｂ）に示すように、まず、アドレス電極駆動回路２０からアドレス電極Ａに書込みパルスを印加するとともに、Ｙ電極駆動回路３０からＹ電極Ｙ１に例えば負走査パルス、Ｘ電極駆動回路４０から偶数番目のＸ電極（Ｘ２，Ｘ４）に例えば正パルスを印加して、Ｙ電極Ｙ１−Ｘ電極Ｘ２間に形成される駆動行（ＬＹ１−Ｘ２）の書込みを行う。次に、Ｙ電極Ｙ３−Ｘ電極Ｘ４間に形成される駆動行（ＬＹ３−Ｘ４）の書込みを行う。次に、奇数番目Ｘ電極（Ｘ１，Ｘ３，Ｘ５）に正電圧を印加して、Ｙ電極Ｙ２−Ｘ電極Ｘ３間に形成される駆動行（ＬＹ２−Ｘ３）の書込み、Ｙ電極Ｙ４−Ｘ電極Ｘ５間に形成される駆動行（ＬＹ４−Ｘ５）の書込みを順に行う。このようにして偶数フィールドの走査が終了する。この後、書込まれたセルの間で維持放電が成され、図６（ａ）に示された偶数フィールドのセル駆動が実現される。
【００４１】
すなわち、偶数フィールドでは、全てのＹ電極とこれらの下側隣接Ｘ電極との間で形成される千鳥状の駆動行、具体的には、全ての駆動行のうち、駆動行（ＬＹ１−Ｘ２）と、一つおきの駆動行である（ＬＹ２−Ｘ３），（ＬＹ３−Ｘ４），（ＬＹ４−Ｘ５）を選択して駆動する。
【００４２】
以上述べたように、図１に示した表示電極の櫛の歯状構造と図４の駆動により、図６（ａ）に示した表示が可能となった。つまり、奇数フィールドでは、任意の行Ｒ上の半数のセルが行方向で一つおきに駆動され、偶数フィールドでは、奇数フィールドとは１８０°異なる位相で、残りの半数のセルが行方向で一つおきに駆動されるので、各フィールドの全ての行で半数のセルが駆動されることになり、ラインフリッカを大幅に低減することができる。
【００４３】
以上では、説明を容易とするために、８行６列の表示を行うＰＤＰについて述べたが、これに限定されるものではなく、例えば、１０２４行８５２列や１０２４行１０２４列等の表示を行うＰＤＰに適用できることはいうまでもない。
【００４４】
なお、本実施例では、既に述べたように、従来のアリス方式のＰＤＰに対して表示電極（Ｘ電極またはＹ電極）の数が１本増加するが、１０００本のオーダーの電極数に１本増えてもパネル製造上の支障はなく、特に問題になることはない。
【００４５】
また、本実施例では、各表示電極において、その電極構造形状がアドレスＡ１で上側に凸、隣接するアドレスＡ２で下側に凹、そして以下順次この凸凹を交互に繰り返しているが、これに限定されるものではなく、アドレスＡ１で下側に凹、隣接するアドレスＡ２で上側に凸、そして以下順次この凹凸を交互に繰り返すようにしてもよい。勿論、これに合わせて、駆動方法を適宜最適に設定するのはいうまでもない。
【００４６】
また、上記では、説明を容易とするために、単一画素が１個のセルからなる単一色のＰＤＰについて述べたが、単一画素がＲ，Ｇ，Ｂの３つのセルで構成される場合には、図７に示すように、Ｒ，Ｇ，Ｂの３つのセルを単位（単位セル、すなわち単位画素）として、行方向に凹凸を繰り返す櫛の歯形状の表示電極構造とすれば、本実施例はカラーＰＤＰに適用できることはいうまでもない。
【００４７】
なお、本実施例による表示電極構造のアリス方式のＰＤＰでは、行方向にセルが配列された行Ｒの全てにおいて、行方向で一つおきに半数のセルがフィールド毎に１８０°の位相で交互に駆動されるので、各フィールドでの垂直方向の画素数は行Ｒの総数に等しく、インターレース駆動方式でありながら、プログレッシブ駆動方式の特長も兼ね備えているといえる。
【００４８】
図８は、各フィールドでの垂直方向の画素数が７６８の電極構造を備えたアリス方式ＰＤＰの要部構成図である。図８においてＰＤＰ１０’は、本実施例を適用したアリス方式ＰＤＰであり、画像形成領域を構成する行数が７６８本である。各フィールドで、垂直方向の画素数が７６８であり、上記した意味で、擬似プログレッシブ方式のＰＤＰともいえる。
【００４９】
プログレッシブ方式で垂直画素数が７６８の場合、この画質は一般にＸＧＡ（米国ＩＢＭ  Ｃｏｒｐ．の登録商標）と呼ばれるが、上記実施例によるＰＤＰ１０’での表示で、擬似的にＸＧＡの画質を実現できて画質が「ＸＧＡ」と称するのが許容されるならば、従来のプログレッシブ方式のＰＤＰより表示電極数を略半減できるのでコストダウンを図ることができる。
【００５０】
なお、上記実施例では、囲み枠１０１のような２行のセルを行方向で一セルおきに互い違いになるような形態形状を便宜上「千鳥状」という表現をしたがこれはあくまで一例であるのはいうまでもなく、要は囲み枠１０１のような形状を表すような表現であればよいのは言うまでもない。
【００５１】
また、上記実施例では、電極構造は囲み枠１０１のように四角形状を想定したが、例えば、図９(a)に示されるように八角形状等の多角形状や、図９(b)に示されるように半円状を含むような形態であってもよい。
【００５２】
上記実施例に限らず，その要旨を逸脱しない範囲内で種々変形して実施することが可能である。更に、上記実施の形態には種々の発明が含まれており、開示される複数の構成要件における適宜な組み合わせにより種々の発明が抽出され得る。例えば、実施の形態に示される前構成要件からいくつかの構成要件が削除されても、発明が解決しようとする課題の欄で述べた課題の少なくとも一つが解決でき、発明の効果の欄で述べられている効果の少なくとも一つが得られる場合には、この構成要件が削除された構成が発明となる。
【図面の簡単な説明】
【００５３】
【図１】本実施例であるＰＤＰの要部構成図。
【図２】一実施例であるＰＤＰの電極構造の平面拡大詳細図。
【図３】一実施例のＰＤＰを用いたプラズマディスプレイ装置の要部構成図。
【図４】一実施例であるＰＤＰの駆動方法を示す図。
【図５】従来のアリス方式のＰＤＰ。
【図６】本実施例によるＰＤＰの駆動原理を説明する図。
【図７】単一画素がＲ，Ｇ，Ｂの３つのセルで構成される場合の電極構造を示す図。
【図８】各フィールドでの垂直方向の画素数が７６８の本実施例による電極構造を備えたアリス方式ＰＤＰの要部構成図。
【図９】PDPの電極構造例を示した図。
【符号の説明】
【００５４】
１０  ＰＤＰ、１１  突起電極、１２  セル、１５  隔壁、２０  アドレス電極駆動回路、３０  Ｙ電極駆動回路、４０  Ｘ電極駆動回路、５０  制御回路、１０１，１０２  囲み枠
【図１】
2006228489.tif 000003
【図２】
2006228489.tif 000004
【図３】
2006228489.tif 000005
【図４】
2006228489.tif 000006
【図５】
2006228489.tif 000007
【図６】
2006228489.tif 000008
【図７】
2006228489.tif 000009
【図８】
2006228489.tif 000010
【図９】
2006228489.tif 000011